(57)【要約】【課題】  通話品質を維持しながら録画したり、録画品質を維持しながら通話したりする通信端末装置を実現する。【解決手段】  録画中に着信があると、オフフックスイッチの長押し操作に応じて録画するフレームレートを２４ｆ／ｓから１２ｆ／ｓに半減させてから通話を開始させ、通話中に通話品質を優先させたい場合にはフレームレートを下げ、録画品質を優先させたい場合にはフレームレートを上げる設定を行い、オンフック操作により通話を終えると、録画するフレームレートを１２ｆ／ｓから２４ｆ／ｓに戻すようにしたので、通話品質を維持しながら録画したり、録画品質を維持しながら通話したりすることが可能になる。【選択図】  図１
2005109858.tif 000002
【特許請求の範囲】
【請求項１】
放送を受信して番組を録画する録画手段と、
着信時に前記録画手段が録画中であるか否かを判定する判定手段と、
前記判定手段が録画中と判定した場合、通話開始を指示する操作子の一定時間の操作に応じて、前記録画手段に録画停止を指示してから通話を開始させるオフフック手段と、
通話終了を指示する操作子の操作に応じて、前記録画手段に録画再開を指示してから通話を終了させるオンフック手段と
を具備することを特徴とする通信端末装置。
【請求項２】
放送を受信して番組を録画する録画手段と、
着信時に前記録画手段が録画中であるか否かを判定する判定手段と、
前記判定手段が録画中と判定した場合、通話開始を指示する操作子の一定時間の操作に応じて、前記録画手段に録画品質低下を指示してから通話を開始させるオフフック手段と、
通話終了を指示する操作子の操作に応じて、前記録画手段に元の録画品質に戻すよう指示してから通話を終了させるオンフック手段と
を具備することを特徴とする通信端末装置。
【請求項３】
放送を受信して番組を録画する録画手段と、
着信時に前記録画手段が録画中であるか否かを判定する判定手段と、
前記判定手段が録画中と判定した場合、通話開始を指示する操作子の一定時間の操作に応じて、前記録画手段に録画停止を指示すると共に、その代りに番組録画するようネットワークを介して録画装置に録画開始を指示してから通話を開始させるオフフック手段と、
通話終了を指示する操作子の操作に応じて、前記録画手段に録画再開を指示する一方、ネットワークを介して録画装置に録画停止を指示してから通話を終了させるオンフック手段と
を具備することを特徴とする通信端末装置。
【請求項４】
放送を受信して番組を録画する録画手段と、
着信時に前記録画手段が録画中であるか否かを判定する判定手段と、
前記判定手段が録画中と判定した場合、通話開始を指示する操作子の一定時間の操作に応じて、前記録画手段に録画品質低下を指示してから通話を開始させるオフフック手段と、
前記オフフック手段により開始された通話中に、前記録画手段の録画品質を可変設定する設定手段と、
通話終了を指示する操作子の操作に応じて、前記録画手段に元の録画品質に戻すよう指示してから通話を終了させるオンフック手段と
を具備することを特徴とする通信端末装置。
【請求項５】
放送を受信して番組を録画する録画処理と、
着信時に前記録画処理が録画中であるか否かを判定する判定処理と、
前記判定処理が録画中と判定した場合、通話開始を指示する操作子の一定時間の操作に応じて、前記録画処理に録画停止を指示してから通話を開始させるオフフック処理と、
通話終了を指示する操作子の操作に応じて、前記録画処理に録画再開を指示してから通話を終了させるオンフック処理と
をコンピュータで実行させることを特徴とする通信端末処理プログラム。
【請求項６】
放送を受信して番組を録画する録画処理と、
着信時に前記録画処理が録画中であるか否かを判定する判定処理と、
前記判定処理が録画中と判定した場合、通話開始を指示する操作子の一定時間の操作に応じて、前記録画処理に録画品質低下を指示してから通話を開始させるオフフック処理と、
通話終了を指示する操作子の操作に応じて、前記録画処理に元の録画品質に戻すよう指示してから通話を終了させるオンフック処理と
をコンピュータで実行させることを特徴とする通信端末処理プログラム。
【請求項７】
放送を受信して番組を録画する録画処理と、
着信時に前記録画処理が録画中であるか否かを判定する判定処理と、
前記判定処理が録画中と判定した場合、通話開始を指示する操作子の一定時間の操作に応じて、前記録画処理に録画停止を指示すると共に、その代りに番組録画するようネットワークを介して録画装置に録画開始を指示してから通話を開始させるオフフック処理と、
通話終了を指示する操作子の操作に応じて、前記録画処理に録画再開を指示する一方、ネットワークを介して録画装置に録画停止を指示してから通話を終了させるオンフック処理と
をコンピュータで実行させることを特徴とする通信端末処理プログラム。
【請求項８】
放送を受信して番組を録画する録画処理と、
着信時に前記録画処理が録画中であるか否かを判定する判定処理と、
前記判定処理が録画中と判定した場合、通話開始を指示する操作子の一定時間の操作に応じて、前記録画処理に録画品質低下を指示してから通話を開始させるオフフック手段と、
前記オフフック手段により開始された通話中に、前記録画処理の録画品質を可変設定する設定処理と、
通話終了を指示する操作子の操作に応じて、前記録画処理に元の録画品質に戻すよう指示してから通話を終了させるオンフック処理と
をコンピュータで実行させることを特徴とする通信端末処理プログラム。
【発明の詳細な説明】
【技術分野】
【０００１】
本発明は、地上デジタルテレビジョン放送される番組を受信して録画する機能を有する通信端末装置および通信端末処理プログラムに関する。
【背景技術】
【０００２】
地上デジタルテレビジョン放送では、１チャンネル６ＭＨｚの帯域を１／１３の帯域幅のセグメント（ＯＦＤＭセグメント）に分割し、その中央の１セグメントが移動受信用に割当てられるようになっており、近年、そのセグメントで放送されるテレビ番組を受信して映像表示したり録画再生する機能を搭載した携帯電話などの通信端末装置が開発されている。
この種の装置として、例えば特許文献１には、番組視聴処理中に携帯電話部で着信が生じて通話を開始した場合、視聴中の番組の符号化映像・音声データをＳＤＲＡＭに録画する処理を開始し、通話が終了すると、録画処理を続けながら、ＳＤＲＡＭから通話開始時点の符号化映像・音声データを読み出して追いかけ再生するものが開示されている。
【０００３】
【特許文献１】特開２００３−１１１００４号公報
【発明の開示】
【発明が解決しようとする課題】
【０００４】
ところで、上記特許文献１に開示の装置のように、地上デジタルテレビジョン放送を受信して番組録画する機能と携帯電話機能とを融合した通信端末装置では、両機能を共通のプラットフォームで制御するため、ＣＰＵの処理能力によっては両機能を同時に実行させると、録画品質および通話品質の低下を招致してしまう、という問題がある。
そこで本発明は、このような事情に鑑みてなされたもので、通話品質を維持しながら録画したり、録画品質を維持しながら通話したりすることができる通信端末装置および通信端末処理プログラムを提供することを目的としている。
【課題を解決するための手段】
【０００５】
上記目的を達成するため、請求項１に記載の発明では、放送を受信して番組を録画する録画手段と、着信時に前記録画手段が録画中であるか否かを判定する判定手段と、前記判定手段が録画中と判定した場合、通話開始を指示する操作子の一定時間の操作に応じて、前記録画手段に録画停止を指示してから通話を開始させるオフフック手段と、通話終了を指示する操作子の操作に応じて、前記録画手段に録画再開を指示してから通話を終了させるオンフック手段とを具備することを特徴とする。
【０００６】
請求項２に記載の発明では、放送を受信して番組を録画する録画手段と、着信時に前記録画手段が録画中であるか否かを判定する判定手段と、前記判定手段が録画中と判定した場合、通話開始を指示する操作子の一定時間の操作に応じて、前記録画手段に録画品質低下を指示してから通話を開始させるオフフック手段と、通話終了を指示する操作子の操作に応じて、前記録画手段に元の録画品質に戻すよう指示してから通話を終了させるオンフック手段とを具備することを特徴とする。
【０００７】
請求項３に記載の発明では、放送を受信して番組を録画する録画手段と、着信時に前記録画手段が録画中であるか否かを判定する判定手段と、前記判定手段が録画中と判定した場合、通話開始を指示する操作子の一定時間の操作に応じて、前記録画手段に録画停止を指示すると共に、その代りに番組録画するようネットワークを介して録画装置に録画開始を指示してから通話を開始させるオフフック手段と、通話終了を指示する操作子の操作に応じて、前記録画手段に録画再開を指示する一方、ネットワークを介して録画装置に録画停止を指示してから通話を終了させるオンフック手段とを具備することを特徴とする。
【０００８】
請求項４に記載の発明では、放送を受信して番組を録画する録画手段と、着信時に前記録画手段が録画中であるか否かを判定する判定手段と、前記判定手段が録画中と判定した場合、通話開始を指示する操作子の一定時間の操作に応じて、前記録画手段に録画品質低下を指示してから通話を開始させるオフフック手段と、前記オフフック手段により開始された通話中に、前記録画手段の録画品質を可変設定する設定手段と、通話終了を指示する操作子の操作に応じて、前記録画手段に元の録画品質に戻すよう指示してから通話を終了させるオンフック手段とを具備することを特徴とする。
【０００９】
請求項５に記載の発明では、放送を受信して番組を録画する録画処理と、着信時に前記録画処理が録画中であるか否かを判定する判定処理と、前記判定処理が録画中と判定した場合、通話開始を指示する操作子の一定時間の操作に応じて、前記録画処理に録画停止を指示してから通話を開始させるオフフック処理と、通話終了を指示する操作子の操作に応じて、前記録画処理に録画再開を指示してから通話を終了させるオンフック処理とをコンピュータで実行させることを特徴とする。
【００１０】
請求項６に記載の発明では、放送を受信して番組を録画する録画処理と、着信時に前記録画処理が録画中であるか否かを判定する判定処理と、前記判定処理が録画中と判定した場合、通話開始を指示する操作子の一定時間の操作に応じて、前記録画処理に録画品質低下を指示してから通話を開始させるオフフック処理と、通話終了を指示する操作子の操作に応じて、前記録画処理に元の録画品質に戻すよう指示してから通話を終了させるオンフック処理とをコンピュータで実行させることを特徴とする。
【００１１】
請求項７に記載の発明では、放送を受信して番組を録画する録画処理と、着信時に前記録画処理が録画中であるか否かを判定する判定処理と、前記判定処理が録画中と判定した場合、通話開始を指示する操作子の一定時間の操作に応じて、前記録画処理に録画停止を指示すると共に、その代りに番組録画するようネットワークを介して録画装置に録画開始を指示してから通話を開始させるオフフック処理と、通話終了を指示する操作子の操作に応じて、前記録画処理に録画再開を指示する一方、ネットワークを介して録画装置に録画停止を指示してから通話を終了させるオンフック処理とをコンピュータで実行させることを特徴とする。
【００１２】
請求項８に記載の発明では、放送を受信して番組を録画する録画処理と、着信時に前記録画処理が録画中であるか否かを判定する判定処理と、前記判定処理が録画中と判定した場合、通話開始を指示する操作子の一定時間の操作に応じて、前記録画処理に録画品質低下を指示してから通話を開始させるオフフック手段と、前記オフフック手段により開始された通話中に、前記録画処理の録画品質を可変設定する設定処理と、通話終了を指示する操作子の操作に応じて、前記録画処理に元の録画品質に戻すよう指示してから通話を終了させるオンフック処理とをコンピュータで実行させることを特徴とする。
【発明の効果】
【００１３】
請求項１，５に記載の発明によれば、着信時に録画手段が録画中であると、通話開始を指示する操作子の一定時間の操作に応じて、録画手段に録画停止を指示してから通話を開始させ、通話終了を指示する操作子の操作に応じて、録画手段に録画再開を指示してから通話を終了させるため、通話品質を維持しながら録画することができる。
【００１４】
請求項２，６に記載の発明によれば、着信時に録画手段が録画中であると、通話開始を指示する操作子の一定時間の操作に応じて、録画手段に録画品質低下を指示してから通話を開始させ、通話終了を指示する操作子の操作に応じて、録画手段に元の録画品質に戻すよう指示してから通話を終了させるので、通話中は録画品質低下させて処理負荷を軽減させる結果、通話品質を維持しながら録画することができる。
【００１５】
請求項３，７に記載の発明によれば、着信時に録画手段が録画中であると、通話開始を指示する操作子の一定時間の操作に応じて、録画手段に録画停止を指示すると共に、その代りに番組録画するようネットワークを介して録画装置に録画開始を指示してから通話を開始させ、通話終了を指示する操作子の操作に応じて、録画手段に録画再開を指示する一方、ネットワークを介して録画装置に録画停止を指示してから通話を終了させるので、通話品質を維持しながら録画することができる。
【００１６】
請求項４，８に記載の発明によれば、着信時に録画手段が録画中であると、通話開始を指示する操作子の一定時間の操作に応じて、録画手段に録画品質低下を指示してから通話を開始させ、通話中では録画手段の録画品質を可変設定し、通話終了を指示する操作子の操作に応じて、録画手段に元の録画品質に戻すよう指示してから通話を終了させるので、通話中の通話品質を優先させたい場合には録画品質を下げ、録画品質を優先させたい場合には録画品質を上げるように設定すれば、通話品質を維持しながら録画したり、録画品質を維持しながら通話したりすることができる。
【発明を実施するための最良の形態】
【００１７】
以下、図面を参照して本発明の実施の形態について説明する。
Ａ．構成
図１は第１実施形態による携帯電話１の構成を示すブロック図である。折畳み開閉タイプの本体構造を有する携帯電話１は、携帯電話部１０およびＴＶ受像部２０から構成される。以下、携帯電話部１０とＴＶ受像部２０とに分けて各部構成を説明する。
【００１８】
（１）携帯電話部１０の構成
携帯電話部１０は通信処理部１１、制御部１２、ＲＯＭ１３、ＲＡＭ１４、操作部１５、スピーカ１６、マイク１７および表示部１８から構成される。通信処理部１１は、アンテナＡＮＴ１を介して受信復調した音声データを制御部１２に出力する一方、制御部１２から供給される音声データを変調して得た送信信号を高周波増幅してアンテナＡＮＴ１から輻射する。制御部１２は、ＣＰＵおよびベースバンド信号処理用のＤＳＰ等から構成され、後述する操作部１５のスイッチ操作に応じて、携帯電話部１０およびＴＶ受像部２０の動作を制御する。携帯電話部１０に関して制御部１２は音声信号処理および通信制御処理を実行する。音声信号処理では、通信処理部１１が発生する通話中の音声データを音声信号にＤ／Ａ変換してスピーカ１６から発音させたり、マイク１７から出力される音声信号を音声データにＡ／Ｄ変換して通信処理部１１に供給する。通信制御処理の内容については、後述するメインルーチンおよび着信検知処理の動作説明で述べる。
【００１９】
ＲＯＭ１３は、制御部１２により実行される音声信号処理や通信制御処理の各プログラムや、各種処理に用いられる制御データを記憶する。なお、通信制御処理のプログラムとは、後述するメインルーチン、タイマインタラプト処理および着信検知処理を含む。ＲＡＭ１４は、制御部１２が実行する各種処理に使われるフラグやレジスタデータを一時記憶するワークエリアの他、アドレス帳、着信履歴、発信履歴などを記憶する加入者情報エリア、送受信メールおよび作成メールを記憶するメールエリアおよび待受画面などの各種表示画面を形成する画像データを記憶する表示エリア等を備える。
操作部１５は、本体が折畳まれたクローズ状態で表示部１８のバックライトをオフし、広げられたオープン状態でバックライトをオンさせる折畳みスイッチ、パワーオンオフする電源スイッチ、通話開始／終了時に操作されるオフフック／オンフックスイッチの他、ダイヤルスイッチと兼用の文字入力スイッチ、表示内容を消去させるクリアスイッチ、アイテム選択用のカーソルスイッチ等を備える。表示部１８はカラー液晶パネルおよび表示ドライバから構成され、制御部１２の制御の下に待受画面などを画面表示する。
【００２０】
（２）ＴＶ受像部２０の構成
ＴＶ受像部２０はチューナ２１、トランスポートデコーダ２２、ＡＶデコーダ２３および録画再生部２４の他、携帯電話部１０と共用される制御部１２、ＲＯＭ１３、ＲＡＭ１４、操作部１５、スピーカ１６および表示部１８から構成されている。チューナ２１は、アンテナＡＮＴ２を介してＵＨＦ帯のデジタルテレビジョン放送信号を選局受信する。トランスポートデコーダ２２は、チューナ２１の受信出力をＯＦＤＭ復調して得たトランスポートストリーム信号から番組パケット（ＭＰＥＧデータ）を分離抽出する。ＡＶデコーダ２３は、トランスポートデコーダ２２が分離抽出した番組パケットを映像／音声データに復号する。録画再生部２４は、制御部１２の指示に応じて、ＡＶデコーダ２３が発生する映像／音声データを自己内蔵の記憶媒体（例えば着脱自在なメモリ）に録画したり、記憶媒体に録画した映像／音声データを記憶媒体から読み出して再生する。
ＴＶ受像部２０における制御部１２は、チューナ２１、トランスポートデコーダ２２、ＡＶデコーダ２３および録画再生部２４の入出力を制御したり、ＡＶデコーダ２３にフレームレートを指示する。ＴＶ受像部２０における操作部１５には、ＴＶ受像部２０をオンオフ設定するテレビスイッチ、録画日時および録画時間の設定を指示する録画設定スイッチおよび録画した番組の再生を指示する再生スイッチが設けられる。
【００２１】
Ｂ．動作
次に、図２〜図９を参照して制御部１２が実行するメインルーチン、タイマインタラプト処理および着信検知処理の各動作を説明する。
（１）メインルーチンの動作
携帯電話１の電源スイッチが操作されてパワーオンされると、制御部１２は図２〜図６に図示するメインルーチンを実行する。メインルーチンが実行されると、制御部１２は図２に図示するステップＳＡ１に処理を進め、携帯電話１の各部を初期化するイニシャライズを実行する。イニシャライズが完了すると、ステップＳＡ２に進み、ＲＯＭ１３から読み出した待ち受け画像データをＲＡＭ１４の表示エリアにストアし、ストアされた待ち受け画像データに基づき待受画面を表示部１８に表示する。次いで、ステップＳＡ３では、折畳みスイッチが開状態（オープン状態）であるか否かを判断する。以下、折畳みスイッチが閉状態の場合と、折畳みスイッチが開状態の場合とに分けて動作説明する。
【００２２】
（ａ）折畳みスイッチが閉状態の場合
折畳みスイッチが閉状態（クローズ状態）であると、判断結果は「ＮＯ」になり、ステップＳＡ４に進み、表示部１８のバックライトを消灯する。続いて、ステップＳＡ５〜ＳＡ７では、録画フラグＲＦに応じてＴＶ受像部２０をオンオフ設定する。すなわち、ＴＶ受像部２０が録画動作していない状態（録画フラグＲＦが「０」）であるにもかかわらずＴＶ受像部２０がオン状態に設定されていると、ステップＳＡ５，ＳＡ６の各判断結果が「ＹＥＳ」になり、ステップＳＡ７に進み、ＴＶ受像部２０をオフ状態に設定した後、上記ステップＳＡ３に処理を戻す。一方、ＴＶ受像部２０が録画中（録画フラグＲＦが「１」）であれば、ステップＳＡ５の判断結果が「ＮＯ」となり、この場合、ＴＶ受像部２０をオン状態のままにしてステップＳＡ２に処理を戻して待受画面表示状態に復帰する。
【００２３】
（ｂ）折畳みスイッチが開状態の場合
折畳みスイッチが開状態であれば、ステップＳＡ３の判断結果が「ＹＥＳ」になり、ステップＳＡ８に進み、表示部１８のバックライトを点灯する。そして、ステップＳＡ９以降では、操作部１５に配設されるオフフックスイッチ、オンフックスイッチ、テレビスイッチ、録画設定スイッチおよび再生スイッチのオン操作に応じた処理を実行する。以下、各スイッチ操作のオン操作に対応して実行される処理の動作を説明する。
【００２４】
ａ．オフフックスイッチがオン操作された場合
ユーザが通話を開始すべくオフフックスイッチをオン操作すると、ステップＳＡ９の判断結果が「ＹＥＳ」になり、ステップＳＡ１０に進み、表示部１８に表示される画面を待受画面から番号入力画面に変更する。番号入力画面において発信する電話番号を入力し終えると、図３に示すステップＳＡ１１の判断結果が「ＹＥＳ」となり、ステップＳＡ１２に進む。ステップＳＡ１２〜ＳＡ１４では、入力された電話番号に基づき発信および呼出報知を行う。呼出報知に応じて着呼側がオフフックして回線が接続されると、ステップＳＡ１４の判断結果が「ＹＥＳ」になってステップＳＡ１５に進み、通話処理を実行する。なお、番号入力画面が表示されている状態でクリアスイッチがオン操作された場合には、ステップＳＡ１６の判断結果が「ＹＥＳ」となり、ステップＳＡ２に処理を戻して待受画面表示状態に復帰する。
【００２５】
ｂ．オンフックスイッチがオン操作された場合
上記ステップＳＡ１５の通話処理中にユーザがオンフックスイッチをオン操作したとする。そうすると、ステップＳＡ１７の判断結果が「ＹＥＳ」になり、ステップＳＡ１８に進み、回線を切る終話処理を実行した後、図２に示すステップＳＡ２に処理を戻して待受画面表示状態に復帰する。
【００２６】
ｃ．テレビスイッチがオン操作された場合
ユーザがテレビスイッチをオン操作すると、図４に示すステップＳＡ１９の判断結果が「ＹＥＳ」になり、ステップＳＡ２０に進み、ＴＶ受像部２０（チューナ２１、トランスポートデコーダ２２およびＡＶデコーダ２３）をオン状態に設定する。次いで、ステップＳＡ２１〜ＳＡ２３では、テレビスイッチがオフ操作される迄、ＡＶデコーダ２３が発生する映像データを表示部１８に動画表示すると共に、ＡＶデコーダ２３が発生する音声データをスピーカ１６から放音する。そして、テレビスイッチがオフ操作されると、ステップＳＡ２３の判断結果が「ＹＥＳ」となり、ステップＳＡ２４に進む。ステップＳＡ２４では、ＴＶ受像部２０をオフ状態に設定してから図２に示すステップＳＡ２に処理を戻して待受画面表示状態に復帰する。
【００２７】
ｄ．録画設定スイッチがオン操作された場合
ユーザが録画設定スイッチをオン操作すると、図５に示すステップＳＡ２５の判断結果が「ＹＥＳ」になり、ステップＳＡ２６に進み、録画設定画面（不図示）を表示部１８に表示する。次いで、ステップＳＡ２７では、この録画設定画面を用いた録画時間設定処理を実行する。録画時間設定処理では、録画設定画面に表示される設定アイテム（録画日時や録画時間）をカーソルスイッチの操作で選択し、選択したアイテムに録画日時や録画時間を入力設定する。そして、録画時間設定処理を終えてＯＫスイッチをオン操作すると、ステップＳＡ２８の判断結果が「ＹＥＳ」になり、ステップＳＡ２９に進み、録画設定フラグＴＦに「１」をセットして録画設定完了を表した後、図２に示すステップＳＡ２に処理を戻して待受画面表示状態に復帰する。なお、クリアスイッチをオン操作した場合には、ステップＳＡ３０の判断結果が「ＹＥＳ」になり、ステップＳＡ３１に進み、録画時間設定処理にて設定した内容（録画日時や録画時間）をクリアした後、図２に示すステップＳＡ２に処理を戻して待受画面表示状態に復帰する。
【００２８】
ｅ．再生スイッチがオン操作された場合
ユーザが再生スイッチをオン操作すると、図６に示すステップＳＡ３２の判断結果が「ＹＥＳ」になり、ステップＳＡ３３に進む。ステップＳＡ３３では、録画設定フラグＴＦが「０」であって、かつ録画フラグＲＦが「０」であるか否か、つまり録画中でなく、しかも録画予約もされていない状態であるかどうかを判断する。録画中あるいは録画予約されていると、判断結果は「ＮＯ」となり、何も処理せずに図２に示すステップＳＡ２に処理を戻して待受画面表示状態に復帰する。
一方、録画中でなく、しかも録画予約もされていない状態では、上記ステップＳＡ３３の判断結果が「ＹＥＳ」になり、ステップＳＡ３４に進む。ステップＳＡ３４では、録画データが録画再生部２４の記憶媒体に記録されているか否かを判断する。録画再生部２４の記憶媒体に録画データが記録されていないと、判断結果は「ＮＯ」になり、ステップＳＡ３５に進み、再生すべき録画データが無いことをユーザに警告報知した後、図２に示すステップＳＡ２に処理を戻して待受画面表示状態に復帰する。
【００２９】
これに対し、録画データが録画再生部２４の記憶媒体に記録されていると、ステップＳＡ３４の判断結果が「ＹＥＳ」になり、ステップＳＡ３６に進み、記憶媒体に記録されている録画データを再生するよう録画再生部２４に指示する。録画再生部２４が再生を開始すると、制御部１２はステップＳＡ３７〜３８にて再生された映像データを表示部１８に動画表示すると共に、再生された音声データをスピーカ１６から出力する。以後、終了スイッチがオン操作されるか、あるいは録画データの再生が終了するまでステップＳＡ３６〜ＳＡ４０を繰り返して録画データの再生を継続する。そして、終了スイッチのオン操作あるいは録画データの再生終了に応じて、ステップＳＡ４１に進み、録画再生部２４に再生停止を指示した後、図２に示すステップＳＡ２に処理を戻して待受画面表示状態に復帰する。
【００３０】
（２）タイマインタラプト処理の動作
次に、図７を参照してタイマインタラプト処理の動作を説明する。制御部１２では、上述のメインルーチン実行中に本処理を所定周期（例えば１分）毎に割込み実行するようになっている。本処理の実行タイミングになると、図７に示すステップＳＢ１にて現時刻を取得する。続いて、ステップＳＢ２では、取得した現時刻が前回取得の時刻から変化しているか否かを判断する。変化していなければ、判断結果は「ＮＯ」になり、何も処理せずに本処理を完了させるが、変化した場合には判断結果が「ＹＥＳ」となり、ステップＳＢ３以降を実行する。ステップＳＢ３、ＳＢ１０では、録画予約中もしくは録画中のいずれであるかを判断する。以下、録画予約中の場合と録画中の場合とに分けて各場合の動作を説明する。
【００３１】
（ａ）録画予約中の場合
録画予約中であると、ステップＳＢ３の判断結果が「ＹＥＳ」になり、ステップＳＢ４に進む。ステップＳＢ４では、現時刻が録画開始時刻に達したか否かを判断する。録画開始時刻に達していないと、判断結果は「ＮＯ」になり、何も処理せずに本処理を完了させる。
一方、現時刻が録画開始時刻に達すると、上記ステップＳＢ４の判断結果が「ＹＥＳ」になり、ステップＳＢ５に進み、ＴＶ受像部２０をオン状態に設定し、続くステップＳＢ６では、ＴＶ受像部２０に録画時のフレームレート（例えば２４ｆ／ｓ）を指示する。そして、ステップＳＢ７では、ＴＶ受像部２０の録画再生部２４に録画開始を指示する。これにより、録画再生部２４は例えば２４ｆ／ｓのフレームレートで映像／音声データを録画して行く。次いで、ステップＳＢ８では、ユーザに録画中であることを報知する録画中画面を表示部１８に表示する。この後、録画設定フラグＴＦをゼロリセットすると共に、録画フラグＲＦを「１」にセットして本処理を完了させる。
【００３２】
（ｂ）録画実行中の場合
さて、こうして番組録画が開始されると、ステップＳＢ１０の判断結果が「ＹＥＳ」となり、制御部１２はステップＳＢ１１に処理を進める。ステップＳＢ１１では、現時刻が録画終了時刻に達したか否かを判断する。録画終了時刻に達していない場合には、判断結果が「ＮＯ」になり、何も処理せずに本処理を完了させる。
一方、現時刻が録画終了時刻に達すると、上記ステップＳＢ１１の判断結果は「ＹＥＳ」になり、ステップＳＢ１２に進み、前述したメインルーチンのステップＳＡ２７（図５参照）にて設定した録画設定内容をクリアする。そして、ステップＳＢ１３ではＴＶ受像部２０をオフ状態に設定し、続くステップＳＢ１４ではＴＶ受像部２０の録画再生部２４に録画終了を指示する。次いで、ステップＳＢ１５〜ＳＢ１６では、録画フラグＲＦをゼロリセットした後、表示部１８に待受画面を表示して本処理を完了させる。
【００３３】
（３）着信検知処理の動作
次に、図８〜図９を参照して着信検知処理の動作を説明する。前述したメインルーチンを実行中に着信があると、制御部１２は本処理を割込み実行してステップＳＣ１に進み、ＴＶ受像部２０がオン状態もしくは録画再生部２４が再生状態のいずれかの状態であるかどうかを判断する。そして、いずれかの状態であると、判断結果は「ＹＥＳ」となり、次のステップＳＣ２に進み、携帯電話１の着信を優先させる為、受信音声あるいは再生音声の出力を停止させ、ステップＳＣ３に進む。
一方、いずれの状態でもない場合には、上記ステップＳＣ１の判断結果が「ＮＯ」になり、ステップＳＣ３に進む。ステップＳＣ３では、表示部１８に着信画面をスーパーインポーズ表示する。次いで、ステップＳＣ４では、着信音をスピーカ１６より放音する着信報知を行い、続くステップＳＣ５以降では、録画中であるか否かに応じた処理を実行する。以下、録画されていない場合と録画中の場合とに分けて動作を説明する。
【００３４】
（ａ）録画されていない場合
この場合、ステップＳＣ５の判断結果が「ＹＥＳ」になり、ステップＳＣ６に進み、オフフック操作の有無を判断する。オフフック操作が行われないと、判断結果は「ＮＯ」になり、上述のステップＳＣ４に処理を戻す。これにより、オフフック操作されるまで着信報知が継続する。そして、オフフック操作が行われると、ステップＳＣ６の判断結果が「ＹＥＳ」になり、ステップＳＣ７に進む。ステップＳＣ７〜ＳＣ８では、オンフック操作が行われるまで通話処理を継続する。そして、オンフック操作が行われると、ステップＳＣ８の判断結果が「ＮＯ」となり、ステップＳＣ９に進み、終話処理を実行する。
【００３５】
終話処理を終えると、制御部１２はステップＳＣ１０に処理を進め、着信検知時点でスーパーインポーズ表示させた着信画面を消去する。続いて、ステップＳＣ１１では、ＴＶ受像部２０がオン状態もしくは録画再生部２４が再生状態のいずれかの状態であるかどうかを判断する。いずれかの状態であると、判断結果は「ＹＥＳ」となり、ステップＳＣ１２に進み、音声出力を再開させた後、図９に示すステップＳＣ１３に進む。一方、いずれの状態でもない場合には、上記ステップＳＣ１１の判断結果が「ＮＯ」になり、図９に示すステップＳＣ１３に進む。ステップＳＣ１３では、録画中であるか否かを判断するが、この場合、録画されていないので、判断結果は「ＮＯ」となり、本処理を完了させる。
【００３６】
（ｂ）録画中の場合
さて一方、録画中に着信検知した場合には、上述したステップＳＣ５の判断結果が「ＮＯ」となり、図９に示すステップＳＣ１５に進む。ステップＳＣ１５〜ＳＣ１８では、オフフックスイッチのオン操作（押下操作）に応じてタイマカウントをスタートさせてオフフックスイッチが押下され続ける時間をカウントし、カウントされたタイマ値（押下され続ける時間）が長押し期間を表す所定値に達したかどうかを判断する。つまり、オフフックスイッチが長押し操作されたかどうかを判断する。ここで、オフフックスイッチが長押し操作されないと、ステップＳＣ１８の判断結果が「ＮＯ」となり、図８に示すステップＳＣ４に処理を戻し、オフフックスイッチが長押し操作されるまで着信報知を継続させる。
【００３７】
オフフックスイッチが長押し操作されると、ステップＳＣ１８の判断結果が「ＹＥＳ」になり、ステップＳＣ１９に進み、録画再生部２４に録画停止を指示する。次いで、ステップＳＣ２０では、録画停止をユーザに知らしめる確認音報知を行ってから図８に示すステップＳＣ４に処理を戻す。
この後、オフフックスイッチを長押し操作を終え、オフフックスイッチを離すと、ステップＳＣ１７の判断結果が「ＹＥＳ」となり、図８に示すステップＳＣ７に処理を進める。以後、上述したステップＳＣ７〜ＳＣ１３を実行する。そして、録画中なので、図９に示すステップＳＣ１３の判断結果が「ＹＥＳ」となり、ステップＳＣ１４に進み、録画再生部２４に録画再開を指示して本処理を完了させる。
【００３８】
以上のように、第１実施形態では、録画中に着信があると、オフフックスイッチの長押し操作に応じて録画再生部２４に録画停止を指示し、かつユーザに録画停止の確認音報知を行ってから通話を開始し、オンフック操作により通話を終えると、録画再生部２４に録画再開を指示するようにしたので、通話品質を維持しながら録画することが可能になる。
【００３９】
Ｃ．第２実施形態
次に、図８、図１０および図１１を参照して第２実施形態による着信検知処理の動作を説明する。第１実施形態と同様、メインルーチン実行中に着信があると、制御部１２は本処理を割込み実行して図８に示すステップＳＣ１に進み、ＴＶ受像部２０がオン状態もしくは録画再生部２４が再生状態のいずれかの状態であるかどうかを判断する。そして、いずれかの状態であると、判断結果は「ＹＥＳ」となり、次のステップＳＣ２に進み、携帯電話１の着信を優先させる為、受信音声あるいは再生音声の出力を停止させ、ステップＳＣ３に進む。
一方、いずれの状態でもなければ、上記ステップＳＣ１の判断結果が「ＮＯ」になり、ステップＳＣ３に進む。ステップＳＣ３では、表示部１８に着信画面をスーパーインポーズ表示する。次いで、ステップＳＣ４では、着信音をスピーカ１６より放音する着信報知を行い、続くステップＳＣ５以降では、録画中であるか否かに応じた着信処理を実行する。以下、録画されていない場合および録画中の場合に分けて動作を説明する。
【００４０】
（ａ）録画されていない場合
この場合、ステップＳＣ５の判断結果が「ＹＥＳ」になり、ステップＳＣ６に進み、オフフック操作の有無を判断する。オフフック操作が行われないと、判断結果は「ＮＯ」になり、上述のステップＳＣ４に処理を戻す。これにより、オフフック操作されるまで着信報知を継続する。そして、オフフック操作が行われると、ステップＳＣ６の判断結果が「ＹＥＳ」になり、ステップＳＣ７に進む。ステップＳＣ７〜ＳＣ８では、オンフック操作が行われるまで通話処理を継続する。そして、オンフック操作が行われると、ステップＳＣ８の判断結果が「ＮＯ」となり、ステップＳＣ９に進み、終話処理を実行する。
【００４１】
終話処理を終えると、制御部１２はステップＳＣ１０に処理を進め、着信検知した時点でスーパーインポーズ表示させた着信画面を消去する。続いて、ステップＳＣ１１では、ＴＶ受像部２０がオン状態もしくは録画再生部２４が再生状態のいずれかの状態であるかどうかを判断する。いずれかの状態であると、判断結果は「ＹＥＳ」となり、ステップＳＣ１２に進み、音声出力を再開させた後、図１１に示すステップＳＣ３６に進む。一方、いずれの状態でもなければ、上記ステップＳＣ１１の判断結果が「ＮＯ」になり、図１１に示すステップＳＣ３６に進む。ステップＳＣ３６では、録画中であるか否かを判断するが、この場合、録画されていないので、判断結果は「ＮＯ」となり、本処理を完了させる。
【００４２】
（ｂ）録画中の場合
さて一方、録画中に着信検知した場合には、上述したステップＳＣ５（図８参照）の判断結果が「ＮＯ」となり、図１０に示すステップＳＣ３０に進む。ステップＳＣ３０〜ＳＣ３３では、オフフックスイッチのオン操作（押下操作）に応じてタイマカウントをスタートさせてオフフックスイッチが押下され続ける時間をカウントし、カウントされたタイマ値（押下され続ける時間）が長押し期間を表す所定値に達したかどうかを判断する。つまり、オフフックスイッチが長押し操作されたかどうかを判断する。ここで、オフフックスイッチが長押し操作されないと、ステップＳＣ３３の判断結果が「ＮＯ」となり、図８に示すステップＳＣ４に処理を戻し、オフフックスイッチが長押し操作されるまで着信報知を継続させる。
【００４３】
そして、オフフックスイッチが長押し操作されると、図１０に示すステップＳＣ３３の判断結果が「ＹＥＳ」になり、ステップＳＣ３４に進み、ＡＶデコーダ２３に対してフレームレートを２４ｆ／ｓから１２ｆ／ｓに変更するよう指示する。次いで、ステップＳＣ３５では、フレームレート変更をユーザに知らしめる確認音報知を行ってから図８に示すステップＳＣ４に処理を戻す。
この後、オフフックスイッチの長押し操作を終え、オフフックスイッチを離すと、図１０に示すステップＳＣ３２の判断結果が「ＹＥＳ」となり、図８に示すステップＳＣ７に処理を進める。以後、上述したステップＳＣ７〜ＳＣ１２を実行する。そして、図１１のステップＳＣ３６に進み、録画中であるか否かを判断するが、この場合、録画中だから判断結果は「ＹＥＳ」となり、ステップＳＣ３７に進む。ステップＳＣ３７では、ＡＶデコーダ２３に対してフレームレートを１２ｆ／ｓから２４ｆ／ｓに戻すよう指示して本処理を完了させる。
【００４４】
このように、第２実施形態では、録画中に着信があると、オフフックスイッチの長押し操作に応じて録画するフレームレートを２４ｆ／ｓから１２ｆ／ｓに半減させてから通話を開始させ、オンフック操作により通話を終えると、録画するフレームレートを１２ｆ／ｓから２４ｆ／ｓに戻す。これにより、通話期間はフレームレート半減により録画再生部２４の録画品質を低下させて制御部１２の処理負荷を軽減させる結果、通話品質を維持しながら録画することが可能になる。なお、本実施形態では、フレームレートだけを変更するようにしたが、これに替えて、フレームレートの変更に対応させて画像サイズも変更する態様にしても構わない。
【００４５】
Ｄ．第３実施形態
次に、図８および図１２を参照して第３実施形態による着信検知処理の動作を説明する。第１実施形態と同様、メインルーチン実行中に着信があると、制御部１２は本処理を割込み実行して図８に示すステップＳＣ１に進み、ＴＶ受像部２０がオン状態もしくは録画再生部２４が再生状態のいずれかの状態であるかどうかを判断する。そして、いずれかの状態であると、判断結果は「ＹＥＳ」となり、次のステップＳＣ２に進み、携帯電話１の着信を優先させる為、放送受信音声あるいは再生音声の出力を停止させ、ステップＳＣ３に進む。一方、いずれの状態でもなければ、上記ステップＳＣ１の判断結果が「ＮＯ」になり、ステップＳＣ３に進む。ステップＳＣ３では、表示部１８に着信画面をスーパーインポーズ表示する。次いで、ステップＳＣ４では、着信音をスピーカ１６より放音する着信報知を行い、続くステップＳＣ５以降では、録画中であるか否かに応じた着信処理を実行する。以下、録画されていない場合および録画中の場合に分けて動作を説明する。
【００４６】
（ａ）録画されていない場合
この場合、ステップＳＣ５の判断結果が「ＹＥＳ」になり、ステップＳＣ６に進み、オフフック操作の有無を判断する。オフフック操作が行われないと、判断結果は「ＮＯ」になり、上述のステップＳＣ４に処理を戻す。これにより、オフフック操作されるまで着信報知を継続する。そして、オフフック操作が行われると、ステップＳＣ６の判断結果が「ＹＥＳ」になり、ステップＳＣ７に進む。ステップＳＣ７〜ＳＣ８では、オンフック操作が行われるまで通話処理を継続する。そして、オンフック操作が行われると、ステップＳＣ８の判断結果が「ＮＯ」となり、ステップＳＣ９に進み、終話処理を実行する。
【００４７】
終話処理を終えると、制御部１２はステップＳＣ１０に処理を進め、着信検知した時点でスーパーインポーズ表示させた着信画面を消去する。続いて、ステップＳＣ１１では、ＴＶ受像部２０がオン状態もしくは録画再生部２４が再生状態のいずれかの状態であるかどうかを判断する。いずれかの状態であると、判断結果は「ＹＥＳ」となり、ステップＳＣ１２に進み、音声出力を再開させた後、図１２に示すステップＳＣ４７に進む。一方、いずれの状態でもなければ、上記ステップＳＣ１１の判断結果が「ＮＯ」になり、図１２のステップＳＣ４７に進む。ステップＳＣ４７では、録画中であるか否かを判断するが、この場合、録画されていないので、判断結果は「ＮＯ」となり、本処理を完了させる。
【００４８】
（ｂ）録画中の場合
さて一方、録画中に着信検知した場合には、上述したステップＳＣ５（図８参照）の判断結果が「ＮＯ」となり、図１２に示すステップＳＣ４０に進む。ステップＳＣ４０〜ＳＣ４３では、オフフックスイッチのオン操作（押下操作）に応じてタイマカウントをスタートさせてオフフックスイッチが押下され続ける時間をカウントし、カウントされたタイマ値（押下され続ける時間）が長押し期間を表す所定値に達したかどうかを判断する。つまり、オフフックスイッチが長押し操作されたかどうかを判断する。ここで、オフフックスイッチが長押し操作されないと、ステップＳＣ４３の判断結果が「ＮＯ」となり、図８に示すステップＳＣ４に処理を戻し、オフフックスイッチが長押し操作されるまで着信報知を継続させる。
【００４９】
そして、オフフックスイッチが長押し操作されると、図１２に示すステップＳＣ４３の判断結果が「ＹＥＳ」になり、ステップＳＣ４４に進み、録画再生部２４に録画停止を指示する。次いで、ステップＳＣ４５では、録画を停止した番組を代りに録画するようネットワーク録画機に録画開始を指示する。
なお、ここで言うネットワーク録画機とは、例えば携帯電話１のネットワークからインターネットを介して接続されるビデオサーバを指す。ビデオサーバは、例えばネットワーク配信される放送番組や地上波で放送される番組を録画再生する機能を有し、携帯電話１からの指示に従って指定番組を録画するよう構成されている。
【００５０】
次に、ステップＳＣ４６では、ネットワーク録画機に録画指示を与えた旨をユーザに知らしめる確認音報知を行ってから図８に示すステップＳＣ４に処理を戻す。この後、オフフックスイッチを長押し操作を終え、オフフックスイッチを離すと、図１１に示すステップＳＣ４２の判断結果が「ＹＥＳ」となり、図８に示すステップＳＣ７に処理を進める。以後、上述したステップＳＣ７〜ＳＣ１２を実行する。そして、図１２のステップＳＣ４７に進み、録画中であるか否かを判断するが、この場合、録画中だから判断結果は「ＹＥＳ」となり、ステップＳＣ４８に進む。ステップＳＣ４８では、録画再生部２４に録画再開を指示し、続くステップＳＣ４９では、ネットワーク録画機に録画停止を指示して本処理を完了させる。
【００５１】
このように、第３実施形態では、録画中に着信があると、オフフックスイッチの長押し操作に応じて録画再生部２４に録画停止を指示すると共に、その代りに番組録画するようネットワーク録画機に録画開始を指示してから通話を開始させ、オンフック操作により通話を終えると、録画再生部２４に録画再開を指示する一方、ネットワーク録画機に録画停止を指示するので、通話品質を維持しながら録画することが可能になっている。
【００５２】
Ｅ．第４実施形態
次に、図１０〜図１１および図１３〜図１４を参照して第４実施形態による着信検知処理の動作を説明する。前述した第１実施形態と同様、メインルーチン実行中に着信があると、制御部１２は本処理を割込み実行して図１３に示すステップＳＣ５０に進み、ＴＶ受像部２０がオン状態もしくは録画再生部２４が再生状態のいずれかの状態であるかどうかを判断する。そして、いずれかの状態であると、判断結果は「ＹＥＳ」となり、次のステップＳＣ５１に進み、携帯電話１の着信を優先させる為、放送受信音声あるいは再生音声の出力を停止させ、ステップＳＣ５２に進む。一方、いずれの状態でもなければ、上記ステップＳＣ５０の判断結果が「ＮＯ」になり、ステップＳＣ５２に進む。ステップＳＣ５２では、表示部１８に着信画面をスーパーインポーズ表示する。次いで、ステップＳＣ５３では、着信音をスピーカ１６より放音する着信報知を行い、続くステップＳＣ５４以降では、録画中であるか否かに応じた着信処理を実行する。以下、録画されていない場合および録画中の場合に分けて動作を説明する。
【００５３】
（ａ）録画されていない場合
この場合、ステップＳＣ５４の判断結果が「ＹＥＳ」になり、ステップＳＣ５５に進み、オフフック操作の有無を判断する。オフフック操作が行われないと、判断結果は「ＮＯ」になり、上述のステップＳＣ５３に処理を戻す。これにより、オフフック操作されるまで着信報知を継続させる。そして、オフフック操作が行われると、ステップＳＣ５５の判断結果が「ＹＥＳ」になり、ステップＳＣ５６に進み、通話処理を実行する。次いで、ステップＳＣ５７では、録画中であるか否かを判断するが、この場合、録画されていない為、判断結果は「ＹＥＳ」になり、ステップＳＣ５８に進み、オンフック操作の有無を判断する。そして、オンフック操作されるまで通話処理を継続し、オンフック操作が行われると、ステップＳＣ５８の判断結果が「ＹＥＳ」となり、ステップＳＣ５９に進み、終話処理を実行する。
【００５４】
終話処理を終えると、制御部１２はステップＳＣ６０に処理を進め、着信検知時点でスーパーインポーズ表示させた着信画面を消去する。続いて、ステップＳＣ６１では、ＴＶ受像部２０がオン状態もしくは録画再生部２４が再生状態のいずれかの状態であるかどうかを判断する。いずれかの状態であると、判断結果は「ＹＥＳ」となり、ステップＳＣ６２に進み、音声出力を再開させた後、前述した第２実施形態と同様に、図１１に示すステップＳＣ３６に進む。一方、いずれの状態でもなければ、上記ステップＳＣ６１の判断結果が「ＮＯ」になり、図１１のステップＳＣ３６に進む。図１１に示すステップＳＣ３６では、録画中であるか否かを判断するが、この場合、録画されていないので、判断結果は「ＮＯ」となり、本処理を完了させる。
【００５５】
（ｂ）録画中の場合
さて一方、録画中に着信検知した場合には、上述したステップＳＣ５４（図１３参照）の判断結果が「ＮＯ」となり、前述した第２実施形態と同様、図１０に示すステップＳＣ３０に進む。ステップＳＣ３０〜ＳＣ３３では、オフフックスイッチのオン操作（押下操作）に応じてタイマカウントをスタートさせてオフフックスイッチが押下され続ける時間をカウントし、カウントされたタイマ値（押下され続ける時間）が長押し期間を表す所定値に達したかどうかを判断する。つまり、オフフックスイッチが長押し操作されたかどうかを判断する。ここで、オフフックスイッチが長押し操作されないと、ステップＳＣ３３の判断結果が「ＮＯ」となり、図１３に示すステップＳＣ５３に処理を戻し、オフフックスイッチが長押し操作されるまで着信報知を継続させる。
【００５６】
オフフックスイッチが長押し操作されると、図１０に示すステップＳＣ３３の判断結果が「ＹＥＳ」になり、ステップＳＣ３４に進み、ＡＶデコーダ２３に対してフレームレートを２４ｆ／ｓから１２ｆ／ｓに変更するよう指示する。次いで、ステップＳＣ３５では、フレームレート変更をユーザに知らしめる確認音報知を行ってから図１３に示すステップＳＣ５３に処理を戻す。この後、オフフックスイッチの長押し操作を終えてオフフックスイッチを離すと、図１０に示すステップＳＣ３２の判断結果が「ＹＥＳ」となり、図１３に示すステップＳＣ５６に処理を進める。
【００５７】
これにより、フレームレートを２４ｆ／ｓから１２ｆ／ｓに変更した録画を続けた状態でステップＳＣ５６にて通話処理が行われる。そして、ステップＳＣ５７では、録画中であるか否かを判断するが、この場合、録画中だから判断結果は「ＮＯ」になり、図１４に示すステップＳＣ６５に処理を進める。ステップＳＣ６５〜ＳＣ６８では、ＵＰ／ＤＯＷＮカーソルスイッチのオン操作に応じて、フレームレートを「２４ｆ／ｓ」、「１２ｆ／ｓ」および「６ｆ／ｓ」のいずれかにアップ／ダウン設定変更する。つまり、通話品質を優先させたい場合にはＤＯＷＮカーソルスイッチをオン操作してフレームレートを下げ、録画品質を優先させたい場合にはＵＰカーソルスイッチをオン操作してフレームレートを上げる。こうしたフレームレートのアップ／ダウン設定変更が行われると、図１３のテップＳＣ５８に進み、オンフック操作の有無を判断する。
【００５８】
オンフック操作されるまでステップＳＣ５６〜ＳＣ５８を繰り返して通話処理を継続し、オンフック操作が行われると、ステップＳＣ５８の判断結果が「ＹＥＳ」となり、ステップＳＣ５９に進む。以後、上述したステップＳＣ５９〜ＳＣ６２を実行した後、前述した第２実施形態と同様に、図１１に示すステップＳＣ３６に進み、録画中であるか否かを判断するが、この場合、録画中だから判断結果は「ＹＥＳ」となり、ステップＳＣ３７に進む。ステップＳＣ３７では、ＡＶデコーダ２３に対してフレームレートを１２ｆ／ｓから２４ｆ／ｓに戻すよう指示して本処理を完了させる。
【００５９】
以上のように、第４実施形態では、録画中に着信があると、オフフックスイッチの長押し操作に応じて録画するフレームレートを２４ｆ／ｓから１２ｆ／ｓに半減させてから通話を開始させ、通話中に通話品質を優先させたい場合にはフレームレートを下げ、録画品質を優先させたい場合にはフレームレートを上げる設定を行い、オンフック操作により通話を終えると、録画するフレームレートを１２ｆ／ｓから２４ｆ／ｓに戻すようにしたので、通話品質を維持しながら録画したり、録画品質を維持しながら通話したりすることが可能になる。なお、本実施形態では、フレームレートだけを変更するようにしたが、これに替えて、フレームレートの変更に対応させて画像サイズも変更する態様にしても構わない。
【図面の簡単な説明】
【００６０】
【図１】本発明による第１実施形態の構成を示すブロック図である。
【図２】メインルーチンの動作を示すフローチャートである。
【図３】メインルーチンの動作を示すフローチャートである。
【図４】メインルーチンの動作を示すフローチャートである。
【図５】メインルーチンの動作を示すフローチャートである。
【図６】メインルーチンの動作を示すフローチャートである。
【図７】タイマインタラプト処理の動作を示すフローチャートである。
【図８】着信検知処理の動作を示すフローチャートである。
【図９】着信検知処理の動作を示すフローチャートである。
【図１０】第２実施形態による着信検知処理の動作を示すフローチャートである。
【図１１】第２実施形態による着信検知処理の動作を示すフローチャートである。
【図１２】第３実施形態による着信検知処理の動作を示すフローチャートである。
【図１３】第４実施形態による着信検知処理の動作を示すフローチャートである。
【図１４】第４実施形態による着信検知処理の動作を示すフローチャートである。
【符号の説明】
【００６１】
１  携帯電話
１１  通信処理部
１２  制御部
１３  ＲＯＭ
１４  ＲＡＭ
１５  操作部
１６  スピーカ
１７  マイク
１８  表示部
２１  チューナ
２２  トランスポートデコーダ
２３  ＡＶデコーダ
２４  録画再生部
【図１】
2005109858.tif 000003
【図２】
2005109858.tif 000004
【図３】
2005109858.tif 000005
【図４】
2005109858.tif 000006
【図５】
2005109858.tif 000007
【図６】
2005109858.tif 000008
【図７】
2005109858.tif 000009
【図８】
2005109858.tif 000010
【図９】
2005109858.tif 000011
【図１０】
2005109858.tif 000012
【図１１】
2005109858.tif 000013
【図１２】
2005109858.tif 000014
【図１３】
2005109858.tif 000015
【図１４】
2005109858.tif 000016